(57)【要約】      （修正有）【課題】ねじのような専用の固定手段を使用せずに、実装部品を支持部材に対し精度良くしっかりと保持できる部品固定構造を提供する。【解決手段】部品固定構造は、支持部材７と実装部品２３とを備えている。支持部材７は、支持板８と、支持板８の外周縁に開口するスリット４０とを有している。実装部品２３は、係止突起３１と複数の凸部３２とを備えている。係止突起３１は、スリット４０に挿入される挿入部３３と、挿入部３３の先端に位置する係止部３４とを有し、係止部３４は、スリット４０よりも幅が広い。凸部３２は、係止突起３１の挿入部３３をスリット４０に挿入した時に、係止突起３１の係止部３４と協働して支持板８を挟み込み、これにより実装部品２３を支持板８に一時的に保持する。【選択図】図６
2009123837.tif 000002
【特許請求の範囲】
【請求項１】
支持板と、この支持板の外周縁に開口するスリットとを有する支持部材と、
上記スリットに挿入される挿入部と、この挿入部の先端に位置するとともに上記スリットよりも幅が広い係止部とを有する係止突起が形成された実装部品とを具備し、
上記実装部品は、上記支持板に接触する複数の凸部を有し、これら凸部は、上記係止突起の挿入部を上記支持板の外周縁から上記スリットに挿入した時に、上記係止突起の係止部と協働して上記支持板を挟み込むことを特徴とする部品固定構造。
【請求項２】
請求項１の記載において、上記凸部は、互いに間隔を存して並んでいるとともに、上記係止突起は、隣り合う凸部の間に位置することを特徴とする部品固定構造。
【請求項３】
請求項２の記載において、上記係止突起および上記凸部は、上記実装部品に一体に形成されていることを特徴とする部品固定構造。
【請求項４】
請求項３の記載において、上記支持部材を覆うカバーをさらに備えており、このカバーは、上記実装部品に係合することで上記実装部品を上記支持板に固定することを特徴とする部品固定構造。
【請求項５】
請求項４の記載において、上記支持板は、その外周縁から上記支持板と交差する方向に延びるフランジ部を有し、このフランジ部と上記支持板とで規定される角部に、上記係止突起の係止片が挿入される挿入口が形成されているとともに、上記挿入口は、上記スリットに連なることを特徴とする部品固定構造。
【請求項６】
支持板と、この支持板の外周縁に開口するスリットとを有する支持部材と、
上記スリットに挿入される挿入部と、この挿入部の先端に位置するとともに上記スリットよりも幅が広い係止部とを有する係止突起が形成された実装部品と、
上記支持部材を覆うとともに、上記実装部品を露出させる開口部が形成されたカバーと、を具備し、
上記実装部品は、上記支持板に接触する複数の凸部を有し、これら凸部は、上記係止突起の挿入部を上記支持板の外周縁から上記スリットに挿入した時に、上記係止突起の係止部と協働して上記支持板を挟み込むことで上記実装部品を上記支持板に保持するとともに、
上記カバーは、上記支持板に保持された上記実装部品に係合することで、上記実装部品を上記支持板に固定することを特徴とする部品固定構造。
【請求項７】
請求項６の記載において、上記実装部品は、上記係止突起および上記凸部が形成された支持壁と、この支持壁の反対側に位置する第１の係合部とを有し、上記カバーは、上記実装部品の第１の係合部に対応する第２の係合部を有し、上記第２の係合部は、上記実装部品の第１の係合部に引っ掛かることで、上記係止突起が上記スリットから抜け出る方向への上記実装部品の移動を制限することを特徴とする部品固定構造。
【請求項８】
請求項７の記載において、上記カバーは、上記開口部を規定する縁部を有し、この縁部は、上記カバーで上記支持部材を覆った時に、上記実装部品に突き当たることを特徴とする部品固定構造。
【発明の詳細な説明】
【技術分野】
【０００１】
本発明は、例えば液晶テレビのシャーシにカード挿入ガイドのような実装部品を保持するための構造に関する。
【背景技術】
【０００２】
液晶テレビは、例えばデジタル放送を受信するためのＩＣカードが挿入されるカードスロットを装備している。カードスロットは、プリント配線板に実装されている。プリント配線板は、液晶表示パネルのような主要な構成要素と一緒に板金製のシャーシに支持されており、このシャーシにカード挿入ガイドが取り付けられている。カード挿入ガイドは、ＩＣカードをカードスロットに導くためのものであり、ＩＣカードが差し込まれるスリット状の挿入口を有している。さらに、シャーシ、プリント配線板およびカード挿入ガイドは、液晶テレビの背後からバックカバーで覆われている。カード挿入ガイドは、バックカバーに形成した開口部を通じて液晶テレビの外に露出している。
【０００３】
ところで、従来の液晶テレビでは、カード挿入ガイドは、複数のねじを介してシャーシに固定されている。このような構成によると、カード挿入ガイドを固定するための専用のねじを必要とするので、ねじの分だけ部品点数が増加し、コスト高を招く一つの要因となる。したがって、液晶テレビのコストを削減するためには、カード挿入ガイドをねじを使用せずにシャーシに固定する構造が必要不可欠となる。
【０００４】
例えば、特許文献１は、端子板を取り囲むパネル枠のような部品を、ねじを使用せずにテレビのキャビネットに固定する構造を開示している。特許文献１によると、パネル枠の下端部に水平に張り出すラック板と、垂直に張り出す当接板とが形成されている。ラック板の下面に一対の係止片が形成されている。係止片は、夫々垂直片と水平片とを有している。水平片は、ラック板と向かい合うように垂直片の下端に形成されており、この水平片の両端部にラック板に向けて張り出すリブ状の当接部が形成されている。
【０００５】
さらに、キャビネットの底板に係止片の垂直片が差し込まれるスリットが形成されている。底板のスリットに垂直片を差し込むと、ラック板がキャビネットの底板に重なり合うとともに、当接板が底板の縁部に突き当たる。したがって、係止片の水平片は、ラック板との間でキャビネットの底板を挟み込んでおり、これにより、パネル枠がキャビネットに保持されるようになっている。
【特許文献１】実公平３−３３０９１号公報
【発明の開示】
【発明が解決しようとする課題】
【０００６】
特許文献１の構成によると、パネル枠のラック板の下面は、係止突起の位置を除き凹凸のない平面となっている。このため、パネル枠がキャビネットに保持された状態では、ラック板の下面が全面的にキャビネットの底板に接している。
【０００７】
このような構成によると、係止片の水平片がラック片との間でキャビネットの底板を弾性的に挟み込んでいても、キャビネットの底板とラック片との間に生じる接触圧を十分に確保することが困難となる。そのため、キャビネットの底板上でパネル枠ががたついたり、パネル枠に僅かな衝撃が加わっただけでパネル枠がずれ動くことがあり得る。
【０００８】
したがって、パネル枠の姿勢が不安定となって、パネル枠をキャビネットの定位置に精度良く保持することができないといった不具合が生じてくる。
【０００９】
本発明の目的は、ねじのような専用の固定手段を使用せずに、実装部品を支持部材に対し精度良くしっかりと保持できる部品固定構造を得ることにある。
【課題を解決するための手段】
【００１０】
上記目的を達成するため、本発明の一つの形態に係る部品固定構造は、  
支持板と、この支持板の外周縁に開口するスリットとを有する支持部材と、  
上記スリットに挿入される挿入部と、この挿入部の先端に位置するとともに上記スリットよりも幅が広い係止部とを有する係止突起が形成された実装部品とを備えている。  
上記実装部品は、上記支持板に接触する複数の凸部を有している。凸部は、上記係止突起の挿入部を上記支持板の外周縁から上記スリットに挿入した時に、上記係止突起の係止部と協働して上記支持板を挟み込むことを特徴としている。
【発明の効果】
【００１１】
本発明によれば、支持板と実装部品との接触圧を十分に確保することができ、ねじのような専用の固定手段を用いなくとも、実装部品を支持部材に対し精度良くしっかりと保持することができる。
【発明を実施するための最良の形態】
【００１２】
以下本発明の実施の形態を、液晶テレビに適用した図面に基づいて説明する。
【００１３】
図１および図２は、薄型の液晶テレビ１を開示している。液晶テレビ１は、偏平な本体２と、この本体２を支えるスタンド３とで構成されている。
【００１４】
本体２は、フラットな液晶表示パネル５と、液晶表示パネル５を収容する合成樹脂製の筐体６とを備えている。液晶表示パネル５は、板金製のシャーシ７に支持されている。シャーシ７は、支持部材の一例であり、液晶表示パネル５に対応する大きさを有している。シャーシ７は、四角い支持板８を含んでいる。支持板８は、液晶表示パネル５の背面にねじ止め等の手段により固定されて、この液晶表示パネル５の背後で起立している。支持板８の外周縁にフランジ部９が形成されている。フランジ部９は、液晶表示パネル５を取り囲むように、支持板８の外周縁から支持板８と略直交する方向に延びている。
【００１５】
筐体６は、フロントカバー１１とバックカバー１２とで構成されている。フロントカバー１１は、液晶表示パネル５の表示画面５ａを露出させる四角い開口部１３を有している。バックカバー１２は、後壁１４、左右の側壁１５ａ，１５ｂ、上壁１６および下壁１７を有している。側壁１５ａ，１５ｂ、上壁１６および下壁１７は、後壁１４の外周縁から後壁１４の前方に向けて張り出している。側壁１５ａ，１５ｂ、上壁１６および下壁１７の先端縁部は、フロントカバー１１の外周縁部に突き合わされている。
【００１６】
シャーシ７は、フロントカバー１１の内面にねじ止め等の手段により固定されている。この固定により、液晶表示パネル５がフロントカバー１１とシャーシ７との間に位置するとともに、液晶表示パネル５の表示画面５ａがフロントカバー１１の開口部１３と合致するようになっている。
【００１７】
さらに、バックカバー１２は、フロントカバー１１に突き合わせた状態で、図示しない複数のねじを介してフロントカバー１１およびシャーシ７の双方に結合されている。
【００１８】
図３および図６に示すように、シャーシ７の支持板８にプリント配線板１９が支持されている。プリント配線板１９は、支持板８と平行に配置されて、液晶表示パネル５の背後で起立している。プリント配線板１９の上部の左端部にカードスロット２０が実装されている。カードスロット２０は、例えばデジタル放送を受信するためのＩＣカード２１を挿入するためのものであり、バックカバー１２の左側の側壁１５ａと隣り合っている。
【００１９】
シャーシ７の支持板８の左端部に、図８および図９に示すような合成樹脂製のカード挿入ガイド２３が配置されている。カード挿入ガイド２３は、ＩＣカード２１をカードスロット２０に導くためのものであり、本実施の形態では、実装部品の一例となっている。カード挿入ガイド２３は、バックカバー１２の左側の側壁１５ａとプリント配線板１９との間に位置している。
【００２０】
カード挿入ガイド２３は、支持壁２４と起立壁２５とを有している。支持壁２４は、支持板８の左端部に沿って延びる帯状をなしている。起立壁２５は、支持壁２４の一側縁部から支持板８の後方に向けて突出している。
【００２１】
起立壁２５にＩＣカード２１を挿入するスリット状のカード挿入口２６と、このカード挿入口２６に連続する偏平な筒状部２７とが形成されている。筒状部２７は、プリント配線板１９に沿ってカードスロット２０の方向に突出している。筒状部２７の開口端は、カードスロット２０の直前に位置している。
【００２２】
さらに、筒状部２７の外周面に一対の係止壁２８が形成されている。係止壁２８は、支持板８に向けて突出するとともに、各係止壁２８の縁部にスリット状の切り欠き２９が形成されている。
【００２３】
図６および図７に示すように、カード挿入ガイド２３の支持壁２４は、シャーシ７の支持板８と向かい合う対向面２４ａを有している。支持壁２４の対向面２４ａに、単一の係止突起３１と複数の凸部３２が一体に形成されている。
【００２４】
係止突起３１は、支持壁２４の長さ方向に沿う中央部に位置している。係止突起３１は、挿入部３３と係止部３４とを有している。挿入部３３は、支持壁２４の対向面２４ａから突出するとともに、支持壁２４の長手方向と直交する方向に延びている。係止部３４は、挿入部３３の突出端に一体に形成されて、挿入部３３の突出方向と直交するように挿入部３３の両側に張り出している。言い換えると、係止部３４は、挿入部３３よりも幅広く形成されており、挿入部３３の両側に張り出す部分が支持壁２４の対向面２４ａと向かい合っている。
【００２５】
凸部３２は、支持壁２４の長手方向に互いに間隔を存して並んでいる。凸部３２は、支持壁２４の対向面２４ａから突出するとともに、支持壁２４の長手方向と直交する方向に延びている。凸部３２の突出高さＨ１は、係止突起３１の突出高さＨ２よりも小さくなっている。本実施の形態では、係止突起３１は、隣り合う二つの凸部３２の間に位置している。
【００２６】
さらに、カード挿入ガイド２３の起立壁２５の先端部に、リブ状の第１の係合部３６が形成されている。第１の係合部３６は、起立壁２５の全長に亘って延びているとともに、起立壁２５の端部から張り出している。
【００２７】
図４ないし図７に示すように、シャーシ７の支持板８のうちカード挿入ガイド２３を取り付ける箇所にスリット４０が形成されている。スリット４０は、支持板８の左側の外周縁から右方向に真っ直ぐに切り込まれて、支持板８の左側の外側縁に開口している。スリット４０は、係止突起３１の挿入部３３が摺動可能に挿入し得る幅寸法を有し、このスリット４０の開口縁部が挿入部３３の外周面に隙間なく接するようになっている。そのため、係止突起３１の係止部３４は、スリット４０よりも幅が広く形成されている。
【００２８】
さらに、支持板８の左側の外周縁とフランジ部９とで規定される角部４１に挿入口４２が形成されている。挿入口４２は、スリット４０に連続するとともに、係止突起３１の係止部３４が挿入可能な幅寸法を有している。
【００２９】
図２、図３、図４および図１０に示すように、バックカバー１２の左側の側壁１５ａに凹部４５が形成されている。凹部４５は、バックカバー１２の内側に突出するガイド壁４６と、このガイド壁４６の突出端に形成された四角い開口部４７とを有している。開口部４７は、カード挿入ガイド２３の起立壁２５およびカード挿入口２６を露出させるためのものである。バックカバー１２は、開口部４７を規定する縁部４８を有し、この縁部４８がカード挿入ガイド２３の起立壁２５の外周部分に突き当たるようになっている。
【００３０】
さらに、バックカバー１２の内面に第２の係合部５０が形成されている。第２の係合部５０は、カード挿入ガイド２３の起立壁２５の先端部に接触することで、第１の係合部３６に係合するようになっている。この係合により、カード挿入ガイド２３がスリット４０から抜け出る方向へのカード挿入ガイド２３の移動が制限される。
【００３１】
次に、シャーシ７の支持板８にカード挿入ガイド２３を固定する手順について説明する。
【００３２】
シャーシ７の支持板８にカード挿入ガイド２３を固定する時点では、支持板８にプリント配線板１９が支持されている。この支持板８にカード挿入ガイド２３を固定するには、まず、カード挿入ガイド２３の支持壁２４の対向面２４ａを支持板８の表面と向かい合わせ、係止突起３１の係止部３４をシャーシ７の挿入口４２に差し込む。これにより、係止突起３１の挿入部３３が支持板８のスリット４０に摺動可能に入り込んで、スリット４０の終端に突き当たるとともに、係止部３４が支持板８の裏面に接触する。
【００３３】
さらに、支持壁２４の対向面２４ａから突出する複数の凸部３２が支持板８の表面に接触する。この接触により、複数の凸部３２と係止突起３１の係止部３４との間で支持板８が弾性的に挟み込まれる。
【００３４】
この結果、図６に示すように、シャーシ７の左右方向をＸ、シャーシ７の前後方向をＹ、シャーシ７の高さ方向をＺと規定した時、係止突起３１の挿入部３３がスリット４０の開口縁部で挟み込まれることで、Ｚ方向へのカード挿入ガイド２３の位置決めがなされる。それとともに、支持板８が凸部３２と係止突起３１の係止部３４との間で挟み込まれることで、Ｙ方向へのカード挿入ガイド２３の位置決めがなされる。
【００３５】
よって、カード挿入ガイド２３は、Ｙ方向およびＺ方向への移動が制限された状態で支持板８に一時的に保持される。
【００３６】
なお、カード挿入ガイド２３の係止突起３１を支持板８のスリット４０に差し込んでいくと、図３に示すように、プリント配線板１９の左側の縁部がカード挿入ガイド２３の係止壁２８の切り欠き２９に嵌まり込む。これにより、カード挿入ガイド２３とプリント配線板１９との位置合わせが実行される。
【００３７】
次に、カード挿入ガイド２３が保持されたシャーシ７にバックカバー１２を被せる。これにより、カード挿入ガイド２３の起立壁２５が開口部４７と向かい合うとともに、開口部４７を規定する縁部４８が起立壁２５の外周部に突き当たる。さらに、カード挿入ガイド２３の第１の係合部３６がバックカバー１２の第２の係合部５０引っ掛かり、係止突起３１がスリット４０から抜け出る方向へのカード挿入ガイド２３の移動が制限される。
【００３８】
したがって、バックカバー１２をシャーシ７に被せることで、Ｘ方向へのカード挿入ガイド２３の位置決めがなされる。最後にバックカバー１１をフロントカバー１１およびシャーシ７の双方にねじ止めすることで、シャーシ７に対するカード挿入ガイド２３の固定作業が完了する。
【００３９】
このような本発明の実施の形態によれば、ねじのような専用の固定手段を使用せずに、カード挿入ガイド２３をシャーシ７の支持板８に固定することができる。このため、ねじが不要となる分だけ液晶テレビ１の部品点数を減らすことができ、液晶テレビ１のコストの低減や軽量化が可能となる。
【００４０】
しかも、カード挿入ガイド２３の係止突起３１をスリット４０に差し込んだ状態では、係止突起３１の係止部３４と複数の凸部３２との間で支持板８が挟み込まれる。言い換えると、カード挿入ガイド２３の支持壁２４は、凸部３２の位置で支持板８に局部的に接触するので、凸部３２と支持板８との接触部分に生じる接触圧を十分に確保することができる。
【００４１】
このため、カード挿入ガイド２３をシャーシ７の定位置に精度よくしっかりと保持することができ、例えば液晶テレビ１の組み立て作業時に、シャーシ７に保持されたカード挿入ガイド２３に無意識のうちに触れたり、あるいはシャーシ７に仮固定されたカード挿入ガイド２３に衝撃が加わっても、カード挿入ガイド２３がシャーシ７の定位置からずれ動いたり、がたつくのを防止できる。よって、シャーシ７に対するカード挿入ガイド２３の姿勢が安定する。
【００４２】
さらに、シャーシ７にバックカバー１２を被せる時に、カード挿入ガイド２３がバックカバー１２との接触によってずれたり、がたつくこともない。このため、カード挿入ガイド２３の起立壁２５がバックカバー１２の開口部４７と精度よく合致することになり、液晶テレビ１の組み立て時の作業性を改善することができる。
【００４３】
本発明は、上記実施の形態に特定されるものではなく、発明の主旨を逸脱しない範囲内で種々変形して実施可能である。
【００４４】
例えば、実装部品はカード挿入ガイドに特定されるものではなく、入力端子を支持する端子カバーやインディケータパネルを支持するパネル枠であってよい。
【００４５】
さらに、本発明に係る部品固定構造は、液晶テレビに限らず、例えばポータブルコンピュータのようなその他の電子機器にも適用可能である。
【図面の簡単な説明】
【００４６】
【図１】本発明の実施の形態に係る液晶テレビの斜視図。
【図２】本発明の実施の形態に係る液晶テレビを背後から見た斜視図。
【図３】本発明の実施の形態において、筐体、シャーシおよびカード挿入ガイドの位置関係を示す断面図。
【図４】本発明の実施の形態において、バックカバー、シャーシおよびカード挿入ガイドの位置関係を破断して示す斜視図。
【図５】本発明の実施の形態において、液晶テレビに用いるシャーシの斜視図。
【図６】本発明の実施の形態において、シャーシにカード挿入ガイドを一時的に保持した状態を示す斜視図。
【図７】本発明の実施の形態において、シャーシにカード挿入ガイドを一時的に保持した状態を示す正面図。
【図８】本発明の実施の形態において、液晶テレビのシャーシに取り付けられるカード挿入ガイドの斜視図。
【図９】本発明の実施の形態において、液晶テレビのシャーシに取り付けられるカード挿入ガイドの斜視図。
【図１０】本発明の実施の形態に係るバックカバーの斜視図。
【符号の説明】
【００４７】
７…支持部材（シャーシ）、８…支持板、１２…バックカバー、２３…実装部品（カード挿入ガイド）、３１…係止突起、３２…凸部、３３…挿入部、３４…係止部、４０…スリット、４７…開口部。
【図１】
2009123837.tif 000003
【図２】
2009123837.tif 000004
【図３】
2009123837.tif 000005
【図４】
2009123837.tif 000006
【図５】
2009123837.tif 000007
【図６】
2009123837.tif 000008
【図７】
2009123837.tif 000009
【図８】
2009123837.tif 000010
【図９】
2009123837.tif 000011
【図１０】
2009123837.tif 000012